(57)【特許請求の範囲】
【請求項１】
バーナ燃焼によって発生させた熱により給水を加熱する給湯熱交換器から浴槽に対する給湯を制御するとともに、前記浴槽にある浴槽水を追焚熱交換器に循環させ、前記バーナ燃焼を制御する制御手段と、この制御手段を遠隔操作する遠隔操作手段とを備える給湯システムであって、
前記制御手段は、運転切換部と、試運転表示部とを備え、試運転モードにおいて、異常を検知したとき、異常表示出力を発生し、
前記運転切換部は、操作によって切り換えられることにより、通常運転モードか、前記試運転モードかを前記制御手段に指示し、前記試運転モードでは、前記遠隔操作手段と前記制御手段との通信を禁止するとともに、前記バーナ燃焼を禁止状態に維持し、前記浴槽に注水し、前記通常運転モードでは前記遠隔操作手段と前記制御手段との通信を有効にし、
前記試運転表示部は、前記試運転モードにあるとき、その表示をし、前記試運転モードが完了したとき、前記表示を解除し、前記試運転モードにおいて、前記制御手段の異常検知により、その異常を表す表示をする、
構成としたことを特徴とする給湯システム。
【請求項２】
前記制御手段は、前記運転切換部とともに、通常運転と試運転とを切り換える運転状態切換コネクタを備え、この運転状態切換コネクタを前記運転切換部に差し替えて前記試運転モード又は前記通常運転モードを設定する構成としたことを特徴とする請求項１記載の給湯システム。
【請求項３】
バーナ燃焼によって発生させた熱により暖房熱交換器で暖房用水を加熱するとともに、その循環を制御する制御手段と、この制御手段を遠隔操作する遠隔操作手段とを備える暖房給湯システムであって、
前記制御手段は、運転切換部と、試運転表示部とを備え、試運転モードにおいて、異常を検知したとき、異常表示出力を発生し、
前記運転切換部は、操作によって切り換えられることにより、通常運転モードか、前記試運転モードかを前記制御手段に指示し、前記試運転モードでは、前記遠隔操作手段と前記制御手段との通信を禁止するとともに、前記バーナ燃焼を禁止状態に維持し、前記通常運転モードでは前記遠隔操作手段と前記制御手段との通信を有効にし、
前記試運転表示部は、前記試運転モードにあるとき、その表示をし、前記試運転モードが完了したとき、前記表示を解除し、前記試運転モードにおいて、前記制御手段の異常検知により、その異常を表す表示をする、
構成としたことを特徴とする給湯暖房システム。
【発明の詳細な説明】
【０００１】
【発明の属する技術分野】
本発明は試運転機能を備える給湯システム及び給湯暖房システムに関する。
【０００２】
【従来の技術】
一般に、全自動給湯システムは、設置した際、実際の使用に先立ち正常に動作するか否かの点検作業が不可欠である。例えば、熱源器、浴槽及び配管、又は熱源器、暖房端末機及び配管へ温水を補給する等の試運転を行い、点検作業が行われる。
【０００３】
この点検作業において、浴槽に給湯するシステムでは、ガス配管及び水配管の設置後、台所、浴室に設置されたリモコンの操作により浴槽に注湯を行い、配管の水漏れの有無や浴槽の設定水位が正しいか否かの判定作業が行われる。即ち、ガス配管を設置し、運転可能な状態にした後、点検作業が行われており、リモコン操作や配管の点検等、作業者は、家屋のリモコンや浴槽と屋外の給湯器との間を往復する等、相当な手間が掛かる。
【０００４】
また、給湯暖房システムにおいても、配管の水漏れ確認のための試運転として、熱源器や暖房端末器及び配管へ水張りが行われている。この場合、水を補給する通路上の手動バルブを開け、機器本体側の水循環用ポンプを作動させて配管内等の空気を抜きながら配管内に水を満たし、膨張タンクの水位がオーバーフロー直前になった後、手動バルブを閉め、水循環用ポンプを止める作業が必要である。このとき、バーナの燃焼を禁止する。
【０００５】
【発明が解決しようとする課題】
このように給湯システムや給湯暖房システムでは、点検のための試運転時、多くの手間、労力、時間が費やされている。
【０００６】
そこで、本発明は、試運転作業の簡略化及び作業時間の短縮化を図った給湯システム及び給湯暖房システムを提供することを課題とする。
【０００７】
【課題を解決するための手段】
本発明は、バーナの燃焼で給水を加熱する熱交換器（５、６、３８、４０）、給湯を受ける浴槽（３、３２）又は暖房端末（暖房端末器３６）、浴槽又は暖房端末に連結された配管に給水する試運転時、バーナの燃焼を禁止する制御手段（電装基板１９、６０）を備えて、試運転時、バーナ燃焼を禁止し、制御手段と遠隔操作手段（リモコン２１、６２）との通信禁止、試運転表示や通常運転と試運転との切換え等を行う給湯システム及び給湯暖房システムを提供でき、試運転作業の簡略化及び作業時間の短縮化を図ることができる。
【０００８】
本発明の給湯システムは、バーナ燃焼によって発生させた熱により給水を加熱する給湯熱交換器から浴槽に対する給湯を制御するとともに、前記浴槽にある浴槽水を追焚熱交換器に循環させ、前記バーナ燃焼を制御する制御手段と、この制御手段を遠隔操作する遠隔操作手段とを備える給湯システムであって、前記制御手段は、運転切換部と、試運転表示部とを備え、試運転モードにおいて、異常を検知したとき、異常表示出力を発生し、前記運転切換部は、操作によって切り換えられることにより、通常運転モードか、前記試運転モードかを前記制御手段に指示し、前記試運転モードでは、前記遠隔操作手段と前記制御手段との通信を禁止するとともに、前記バーナ燃焼を禁止状態に維持し、前記浴槽に注水し、前記通常運転モードでは前記遠隔操作手段と前記制御手段との通信を有効にし、前記試運転表示部は、前記試運転モードにあるとき、その表示をし、前記試運転モードが完了したとき、前記表示を解除し、前記試運転モードにおいて、前記制御手段の異常検知により、その異常を表す表示をする、構成である。即ち、配管に給水を行う試運転時、自動的にバーナの燃焼を禁止し、安全性を図ることができる。
【０００９】
また、この給湯システムでは、前記制御手段と前記制御手段に対して操作指令を行う遠隔操作手段との間の通信を禁止するので、試運転時に通常運転への移行やバーナ燃焼が行われることを未然に防止できる。
【００１０】
また、この給湯システムでは、前記試運転時、その表示を行う試運転表示部を備えているので、試運転表示によって試運転状態を容易に知ることができるとともに、異常表示も行える。
【００１１】
また、この給湯システムでは、前記制御手段に運転切換部を備えているので、前記試運転か通常運転かを切り換えることで、安全性を図ることができる。
この給湯システムにおいて、前記制御手段は、前記運転切換部とともに、通常運転と試運転とを切り換える運転状態切換コネクタを備え、この運転状態切換コネクタを前記運転切換部に差し替えて前記試運転モード又は前記通常運転モードを設定する構成としてもよい。
【００１２】
また、本発明の給湯暖房システムは、バーナ燃焼によって発生させた熱により暖房熱交換器で暖房用水を加熱するとともに、その循環を制御する制御手段と、この制御手段を遠隔操作する遠隔操作手段とを備える暖房給湯システムであって、前記制御手段は、運転切換部と、試運転表示部とを備え、試運転モードにおいて、異常を検知したとき、異常表示出力を発生し、前記運転切換部は、操作によって切り換えられることにより、通常運転モードか、前記試運転モードかを前記制御手段に指示し、前記試運転モードでは、前記遠隔操作手段と前記制御手段との通信を禁止するとともに、前記バーナ燃焼を禁止状態に維持し、前記通常運転モードでは前記遠隔操作手段と前記制御手段との通信を有効にし、前記試運転表示部は、前記試運転モードにあるとき、その表示をし、前記試運転モードが完了したとき、前記表示を解除し、前記試運転モードにおいて、前記制御手段の異常検知により、その異常を表す表示をする、構成である。即ち、配管に給水を行う試運転時、自動的にバーナの燃焼を禁止し、安全性を図ることができる。
【００１３】
また、この給湯暖房システムでは、前記試運転時、前記制御手段と前記制御手段に対して操作指令を行う遠隔操作手段との間の通信を禁止することで、試運転時に通常運転への移行やバーナ燃焼が行われることを未然に防止できる。
【００１４】
また、この給湯暖房システムでは、前記試運転時、その表示を行う試運転表示部を備えたことにより、試運転表示によって試運転状態を容易に知ることができるとともに、異常表示も行うことから、その表示によって異常の有無を知ることができる。
【００１５】
また、この給湯暖房システムは、前記制御手段に、前記試運転か通常運転かを切り換える運転切換部を備えているので、運転モードを切り換えることで、安全性を図ることができる。
【００１６】
【発明の実施の形態】
以下、本発明及びその実施の形態を図面に示した実施例を参照して詳細に説明する。
【００１７】
図１〜図４は本発明の給湯システムを示し、図１は給湯システムの全系統、図２はその電気系統、図３は操作制御部、図４は試運転動作を示している。
【００１８】
この給湯システムには全自動給湯システム１を備えており、この全自動給湯システム１は、給湯器２から浴槽３に追焚循環路４を介して注湯、並びに浴槽水の追焚循環を行う構成である。
【００１９】
給湯器２は給湯熱交換器５と追焚熱交換器６とホッパ７とを具備し、給湯熱交換器５の水導入側に至る給水路８に給湯量センサ９、温水出口側に外部給湯路１０が設けられている。この外部給湯路１０から分岐してホッパ７に至る流路には注水電磁弁１１を介在させ、ホッパ７の下流側から追焚循環路４の往き管１２に至る流路には、注湯量センサ１３、三方弁である流路切換弁１４を介在させている。浴槽３から追焚熱交換器６に至る追焚循環路４の戻り管１５には、浴槽３内の水位を検知するための水位センサ１６、循環ポンプ１７、水の流れを検知するための流水スイッチ１８が設置されている。
【００２０】
また、給湯器２には電装基板１９が備えられ、全システムの動作制御を行う操作制御部２０が搭載されている。この操作制御部２０には、操作指令信号を与える遠隔操作制御部２１（以下、リモコン２１）が接続されている。操作制御部２０は、図２に示すように、運転切換部２２を有し、操作制御部２０をシステムの通常運転時と試運転時の制御動作を切り換えるためのもので、人手により、運転状態切換コネクタ２３、２４を差し替えて、切り換え自在に構成している。また、操作制御部２０には、システムの動作状態を表示する表示手段として、例えば、試運転状態等にあることを表示するＬＥＤ２５が設けられている。
【００２１】
操作制御部２０において、図３に示すように、制御回路２６はＣＰＵ２７、リレー回路２８を有している。ＣＰＵ２７は注湯量センサ１３、給湯量センサ９、流水スイッチ１８、水位センサ１６からの出力に応じてリレー回路２８を介して注水電磁弁１１、循環ポンプ１７、流路切換弁１４を通電制御するものである。また、ＣＰＵ２７には試運転手順がプログラミングされ、運転切換部２２の運転状態切換コネクタ２３、２４の差し替えにより試運転モードとすることができ、ＬＥＤ２５に点滅表示させることによって試運転状態にあることを知ることができる。
【００２２】
この全自動給湯システム１の試運転動作を図４に示すフローチャートを参照して説明する。
【００２３】
試運転では、給湯器２、浴槽３を家屋に設置したとき、給湯器２本体のパネルを外し、本体の電源を投入する。ステップＳ１では、運転切換部２２の運転状態切換コネクタ２３、２４の差し替えにより、操作制御部２０の試運転モードを選択する。このとき、操作制御部２０からの制御信号によってＬＥＤ２５が点灯する。ここで、リモコン２１での操作を不可能とするため、ステップＳ２でリモコン２１との送受信を停止させる。
【００２４】
また、ステップＳ３において、ガスの供給なしで、浴槽３に注水を行うため、注水中、給湯量センサ９がオンしても、燃焼動作を行わないように給湯バーナ（図示省略）へのガス供給管における元電磁弁（図示省略）を閉とするとともに、点火手段を強制的に動作停止させる。さらに、浴槽３への注水時間を短縮するために、注水量を限定すべく、ステップＳ４で浴槽３の水位を低水位に設定する。
【００２５】
続いて、ステップＳ５で自動注水を開始させる。注水電磁弁１１が開かれ、水道水は給水路８を介して給湯熱交換器５の水導入側に至り、給湯熱交換器５を経てホッパ７で分離された後、注湯量センサ１３、流路切換弁１４を経て追焚循環路４の往き管１２を通り、浴槽３に注水される。なお、流路切換弁１４の向きを変更することにより、循環ポンプ１７に呼び水を行いながら、浴槽３に注水することもできる。
【００２６】
次に、ステップＳ６で注水電磁弁１１及び流路切換弁１４の異常があったか否かの判断を行う。即ち、流路切換弁１４、注水電磁弁１１が閉じているにもかかわらず注湯量センサ１３がオフしないときには、流路切換弁１４又は注水電磁弁１１が異常状態にあることがわかる。異常状態では、ＬＥＤ２５が点滅して異常を知らせる（ステップＳ９）。異常がない場合、ステップＳ７に進み、浴槽３の水位がステップＳ４での設定水位以上となったかどうかの判断を行う。
【００２７】
水位センサ１６により浴槽３の水位を検知する際、追焚循環路４に存在する空気を抜くため循環ポンプ１７を作動させ、流水スイッチ１８で空気がなくなったかどうかを確認する。
【００２８】
浴槽３の水位が設定水位以上に達すると、電装基板１９の操作制御部２０に水位センサ１６から信号が送られ、これに応答した操作制御部２０からの信号により、注水電磁弁１１を閉とする。このとき、ＬＥＤ２５を消灯させるので、試運転作業が完了したことを知ることができる（ステップＳ８）。ステップＳ７での判断結果がＮＯの場合は、ステップＳ５へ戻る。
【００２９】
試運転作業終了後は、運転状態切換コネクタ２３、２４を試運転から通常運転へ差し替えれば操作制御部２０の通常モードが選択され、浴室又は台所にあるリモコン２１による運転操作が可能となる。
【００３０】
次に、図５〜図７は本発明の給湯暖房システムの実施例を示し、図５はその全系統、図６は操作制御部、図７は試運転動作を示している。
【００３１】
給湯暖房システムとして全自動給湯暖房システム３０が設置され、この全自動給湯暖房システム３０は、給湯器３１に浴槽３２に追焚循環路３３を介して注湯、並びに浴槽水の追焚循環を行う浴槽給湯系統３４と、暖房循環路３５を介して暖房端末器３６に暖房用温水を供給する暖房給湯系統３７とを有する。
【００３２】
そして、給湯器３１は、給湯熱交換器３８、追焚熱交換器３９他、暖房熱交換器４０を備えている。
【００３３】
浴槽給湯系統３４において、給湯熱交換器３８の水導入側に給湯量センサ４１、温水出口側に外部給湯路４２を介在させ、この外部給湯路４２から分岐して注水電磁弁４３を介してホッパ４４に至る流路を有する。また、このホッパ４４の下流側から、注湯量センサ４５、流路切換弁４６を介して追焚循環路３３の往き管４７に至る流路を有している。そして、浴槽３２から追焚熱交換器３９に至る追焚循環路３３の戻り管４８には、水位センサ４９、循環ポンプ５０、流水スイッチ５１を介在させている。
【００３４】
暖房給湯系統３７においては、給湯熱交換器３８の水導入側における給湯量センサ４１の上流側から分岐して暖房熱交換器４０の上流側に至る分岐給水路５２を形成するとともに、補水電磁弁５３、膨張タンク５４、暖房ポンプ５５を介在させている。膨張タンク５４には、貯留させる暖房用水の水位を検知する水位センサ５６が設置されている。なお、補水電磁弁５３は膨張タンク５４に暖房用水を補給するためのものである。
【００３５】
また、暖房循環路３５において、戻り管５７から分岐して熱動弁５８を介し、追焚熱交換器３９を経て暖房循環路３５の往き管５９に合流する流路を有している。
【００３６】
この全自動給湯暖房システム３０において、給湯器３１に備えた電装基板６０には、浴槽給湯系統３４及び暖房給湯系統３７の動作制御を行う操作制御部６１が設けられるとともに、操作制御部６１に操作指令信号を与えるリモコン６２を有する。
【００３７】
操作制御部６１は、通常の運転モードの他、浴槽給湯系統３４及び暖房給湯系統３７の試運転モードを切り換え自在とした運転切換部６３を有する。
【００３８】
即ち、運転切換部６３において、通常の運転モードと、リモコン６２による操作指令信号を受け付けず、システムの動作指令を行う試運転モードとを、運転状態切換コネクタ６４、６５、６６、６７を差し替えて、切り換え自在に構成している。なお、操作制御部６１には、試運転モードにある状態を表示したり、システムの異常状態を表示するためのＬＥＤ６８が設けられている。
【００３９】
電装基板６０に構成される操作制御部６１において、図６に示すように、制御回路６９はＣＰＵ７０、リレー回路７１、７２を有し、ＣＰＵ７０には、浴槽給湯系統３４及び暖房給湯系統３７の通常の動作制御手順の他、これら浴槽給湯系統３４及び暖房給湯系統３７の試運転手順がプログラミングされている。なお、試運転手順を実行すると、試運転状態にあることをＬＥＤ６８の点灯により知ることができる。
【００４０】
この全自動給湯暖房システム３０の試運転手順を図７に示すフローチャートを参照して説明する。なお、浴槽給湯系統３４の試運転は、前記実施例の全自動給湯システム１における試運転と実質的に同様であるのでその説明は省略する。以下暖房給湯系統３７の試運転を説明する。
【００４１】
給湯器３１を家屋に設置したとき、パネルを外し、電装基板６０上の運転切換部６３において、運転状態切換コネクタ６４、６５、６６、６７を差し替えて、操作制御部６１を試運転モードとする。暖房端末器３６の水回路を開くために暖房端末器３６の運転スイッチをオンとし、給湯器３１本体の電源を投入すると、ＬＥＤ６８が点灯し、熱動弁５８が開く（ステップＳ１）。ただし、熱動弁５８は数分後、暖房端末器３６への水張りを促進するため、自動的に閉じる。ここで、ステップＳ２において、リモコン６２での操作を不可能とするために、リモコン６２との送受信を停止させる。暖房端末器３６の運転スイッチをオンとしたことにより、暖房燃焼をさせないようにするために、暖房燃焼動作強制停止処理を行う（ステップＳ３）。
【００４２】
続いて、ステップＳ４で補水電磁弁５３をオンとする。水道水は分岐給水路５２を通り、補水電磁弁５３を介して、膨張タンク５４へ注がれる。水位センサ５６によって検知される膨張タンク５４の水位がＨ以上か否かの判断をステップＳ５で行い、水位がＨに達すると、水位センサ５６からの信号に応答して補水電磁弁５３が閉じ、水道水の供給が停止される。このとき、暖房ポンプ５５が作動して膨張タンク５４内の水を吸収し、暖房熱交換器４０、暖房循環路３５の往き管５９を介して暖房端末器３６への水張りを行う（ステップＳ６）。膨張タンク５４内の水は暖房熱交換器４０、暖房循環路３５の往き管５９を介して吸収されてしまうので、膨張タンク５４の水位はＬ以下となり、暖房ポンプ５５の作動は停止する（ステップＳ７、Ｓ８）。膨張タンク５４の水位がＬ以上のとき、ステップＳ１２、Ｓ１３へ進む。
【００４３】
補水電磁弁５３がオンして一定時間経過しても、膨張タンク５４における水位センサ５６が信号を発しないときは補水電磁弁５３の異常と判断される。補水電磁弁５３、水位センサ５６が異常と判断されたときは、ＬＥＤ６８を点滅させてこれを知らせる（ステップＳ１５）。ステップＳ７で膨張タンク５４の水位がＬ以下であった場合にも、補水電磁弁５３が異常であるか（ステップＳ９）、膨張タンク５４の水位センサ５６に異常があるか（ステップＳ１０）を判断し、異常と判断されたときは、ＬＥＤ６８を点滅させてこれを知らせる（ステップＳ１１）。ステップＳ９、Ｓ１０で異常なしと判断されたときはステップＳ５へ戻り、前述のステップを繰り返す。
【００４４】
一方、ステップＳ１２、Ｓ１３で、補水電磁弁５３、水位センサ５６に異常がない場合、ステップＳ１４へ進み、試運転完了か否かを判断する。
【００４５】
これは、例えば、試運転開始後、暖房給湯系統３７への水張りが終了するまでの時間を、種々の施工実験から求め、この時間を電装基板６０の操作制御部６１の記憶手段（図示省略）に試運転の基準時間として予め設定しておき、この時間と実際の経過時間とを比較することにより、判断することができる。試運転作業が終了したとき、ＬＥＤ６８を消灯させる（ステップＳ１６）。
【００４６】
そして、浴槽給湯系統３４の試運転も完了し、全ての試運転作業終了後は、運転状態切換コネクタ６４、６５、６６、６７を差し替えて、試運転から通常運転へ切り換えれば操作制御部６１の通常モードが選択され、浴室又は台所にあるリモコン６２による運転操作が可能となる。
【００４７】
【発明の効果】
以上説明したように、本発明によれば、次の効果が得られる。
ａ  試運転作業を給湯器本体で行うことができ、遠隔操作手段で操作していた場合に比べ、試運転作業を簡易化でき、作業時間を短縮化できる。
ｂ  動作状態を表示する手段が試運転作業の終了、機器構成体の異常を知らせてくれるので、終了判断、異常判断も確実で容易である。
ｃ  ガス配管を設置する前に、配管の水の有無、設定水位の確認ができ、作業手順の簡素化を図ることができる。
【図面の簡単な説明】
【図１】本発明の給湯システムの実施例を示す系統図である。
【図２】図１に示す給湯システムの電気系統を示すブロック図である。
【図３】図２に示す電気系統における操作制御部を示すブロック図である。
【図４】図１に示す給湯システムにおける試運転動作を示すフローチャートである。
【図５】本発明の給湯暖房システムの実施例を示す系統図である。
【図６】図５に示す給湯暖房システムの操作制御部を示すブロック図である。
【図７】図５に示す給湯暖房システムにおける試運転動作を示すフローチャートである。
【符号の説明】
３  浴槽
５、６、３８、４０  熱交換器
１９、６０  電装基板（制御手段）
２１、６２  リモコン（遠隔操作手段）
３６  暖房端末器
【図１】
0003668127.tif 000002
【図２】
0003668127.tif 000003
【図３】
0003668127.tif 000004
【図４】
0003668127.tif 000005
【図５】
0003668127.tif 000006
【図６】
0003668127.tif 000007
【図７】
0003668127.tif 000008